(57)【要約】【課題】衣服のスリットやベンツ等の切り込み部分の縁取りをスッキリとスマートに仕上げることができ、また縫製工程を短縮して縫製コストを低減することができる編み地を提供する。【解決手段】横編機でもって、横方向に延びる中央部部２とこの中央部分２の両側から中央部分２に対して縦方向に屈折した起立部分３、４を連続して編成して衣服の少なくとも二つの部分に適用できる編み地１となした。【選択図】      図１
2004250851.tif 000002
【特許請求の範囲】
【請求項１】
横方向に延びる中央部分と、この中央部分の両端部からそれぞれ屈折して縦方向に延びる起立部分とからなり、中央部分と起立部分が連続して編成されていることを特徴とする衣服の一部に適用できる編み地。
【請求項２】
上記中央部分の編み始め側に、衣服の一部に適用可能な裾部分が編成されていることを特徴とする請求項１記載の衣服の一部に適用できる編み地。
【請求項３】
上記中央部分が首筋と対接する台衿部、上記起立部が台衿部の両端部に位置する左右の前立部、そして上記裾部分でもって上衿部となしていることを特徴とする請求項３記載の衣服の一部に適用できる編み地。
【発明の詳細な説明】
【０００１】
【発明の属する技術分野】
本発明は、衣服の一部に適用できる編み地、詳しくは衣服の少なくとも二つの部分が連続的に編成された編み地に関するものである。
【０００２】
【従来の技術】
近年、衣服の袖口や裾にスリットやベンツを取り入れて動きやすさと装飾性を兼ねた衣服が出ている。その袖口や裾の外周縁およびスリットやベンツの端縁を直線状や編み地（テープ）によって縁取りされた衣服である。このような衣服は周知の通り、テープを袖口や裾の外周縁に縫製やリンキングを行い縫着し、さらにスリットやベンツの長さに合わせて裁断された２本のテープ片をスリットやベンツの両側端縁に縫製やリンキングして縫着され縁取りされている。
【０００３】
また、上衿部やボタン掛けに利用される左右の前立部を備えた衿付きニットシャツ（以下ポロシャツと称する）の衿部用の編み地については、台衿部となる基部と上衿部となる開襟部が連続し、さらにこの基部を両側に延長して前立部に似た胸開部を形成した衿用編み地が知られているが、一般的なポロシャツにおいては、上衿部、台衿部および左右の前立部のそれぞれを個別に編成し、それぞれの部分を縫製やリンキングによってシャツ身頃の衿ぐり部に縫着されていた。即ち、台衿部は首筋の周りに沿って水平方向に使用されるのに対して左右の前立部分はポロシャツの衿口にほぼ垂直方向に縫着されるため、少なくとも左右の前立部分は台衿地とは別個に編成されていた（例えば、特許文献１参照）。
【０００４】
【特許文献１】
実公昭３５−３７３２号公報。
【０００５】
【発明が解決しようとする課題】
しかしながら、上記のような従来の縫着方法で袖口や裾にスリットやベンツを取り入れた衣服は、袖口や裾の外周縁にテープや編み地を利用して縫製やリンキングにて縫着するため、またテープや編み地の両端部とスリットやベンツのテープとを縫合するために端角部（コーナー）において縫い代が重なり、厚みやゴロ付き感が出たり、テープの切断端部か露出したり、糸端が出たりすることからスマートに仕上げることができない。
【０００６】
また上記のように従来のポロシャツの衿部には、それぞれ別に編成された３〜４枚の衿パーツが用いられいることから、衿地の編成に３〜４工程を要する上に煩雑なリンキングや縫製作業が多くなり、コスト高の要因の一つとなっている。また上記実公昭３５−３７３２号公報記載の衿用編み地においては、胸襟部が基部から直線状に延長されているため、胸襟部はシャツに湾曲して縫着せざるを得ず、ボタン掛け可能な前立部を形成することができない。その上湾曲して縫着れた胸襟部の復元弾力が開襟部を持ち上げる方向に作用し、折り目の整った衿を形成することができない。
【０００７】
本発明は、上記課題を解決することを目的としてなされたものであり、衣服のスリットやベンツ等の切り込み開口部分の縫製やポロシャツ用の衿部に好適な編み地を提供するものである。
【０００８】
【課題を解決するための手段】
本発明は、前上ベッド（前上針）と後上ベッド（後上針）が対向配置されそれぞれの下方に前下ベッド（前下針）と後下ベッド（後下針）が配置された目移し自在な横編機でもって、横長な編み地の両端部から屈折して縦方向に延びる編み地を連続的に編成することによって上記課題を解決したものである。
【０００９】
即ち本発明の衣服の一部に適用できる編み地（以下本発明の編み地という）は、横方向に延びる中央部分と、この中央部分の両端部からそれぞれ屈折して縦方向に延びる起立部分とからなり、中央部分と起立部分が連続して編成されていることを特徴としているものである。
【００１０】
横方向に延びる中央部分の両端部からそれぞれ屈折し連続して縦方向に延びている起立部分は、中央部分と起立部分のそれぞれの境界部分において相互に順次目減らしながら編成され、この目減らしによって生じた余剰の編み糸は、中央部分と起立部分との境界部分において二重に編み込まれていて、この目減らしによって通常の二重編み地の場合においては、横方向（コース方向）に延びる中央部分に対して左右の起立部分が約７０〜８０度上方に起立屈折した状態に編み上げることができる。
【００１１】
上記本発明の編み地を袖口や裾にスリットやベンツを備えたシャツの縁取り用の用いる場合には、中央部分と起立部分を同幅のテープ状に編成するとよく、また本発明の編み地をポロシャツ等の上衿部を備えた衿地として利用する場合は、中央部分の編み始め側に上衿地となる裾部分を編成しておき、この裾部分を上衿にそして中央部分を首筋と対接する台衿部に、起立部を台衿部の両端部の前身頃側に位置する前立部にそれぞれ適用するとよい。
【００１２】
【発明の実施の形態】
以下本発明の実施の形態を実施例として示した図面に基づいて説明るすと、図１は本発明の編み地の基本形態を示した平面図であり、１は編み地、２は編み地１の中央部分、そして３、４は起立部分である。
【００１３】
本発明の編み地１は図１に示しているように、横方向に延びる中央部分２と、この中央部分２の両端部からそれぞれ屈折して縦方向に延びる起立部分３、４とからなり、中央部分２と起立部分３、４は連続して編成されている。編み地１の中央部２の長さＡや起立部分３、４の長さＢ、Ｃおよび編み地１の幅寸法Ｗは、編み地１の用途に基づいて決定される。例えば図２に示したようにＶ地型のスリットを有した袖口の縁と取り用の場合は、幅寸法Ｗを１０〜１５ｍｍ程度とし、中央部２の長さＡを袖口周りの長さ、そして起立部分３、４の長さＢ、Ｃをスリットの切り込み長さに相当するように編成する。
【００１４】
図３は本発明の編み地１を、側面にベンツを形成しているパンツの縁取りに適用した実施例を示しているものであり、幅寸法Ｗを１０〜１５ｍｍ程度とし、中央部２の長さＡはパンツの下周端縁の長さ、そして起立部分３、４の長さＢ、Ｃをスリットの切り込み長さに編成されたものを適用している。同様にして本発明の編み地１は下部周縁の側面にＶ字型のスリットを形成しているシャツやスカートの下部周縁の縁取りに好ましく適用することができる。図４は本発明の編み地１でもってシャツの下部周縁の縁取りした実施例を示している。
【００１５】
また図５に示した実施例は、編み地１の幅寸法Ｗを２〜３ｃｍ程度、中央部分２の長さＡを首回りの開口寸法、そして起立部分３、４の長さＢ、Ｃを前立部の長さに編成し、Ｖ字型に開襟した丸首シャツの衿部分に縫着した態様を示している。
【００１６】
上記の実施例においては、中央部２および起立部３、４を同じ幅寸法に編成した編み地１についての実施例を示しているが、本発明の他の実施の形態として図６に示しているように、中央部分２の編み始め側に裾部分５を編成しておけば、図７に示しているように起立部３  ４はスリットの縁取りに、そしてこの裾部分５はシャツの袖口として利用することができる。
【００１７】
上記したように本発明の編み地１は、図１に示しているように、横方向に延びる中央部分２と、この中央部分２の両端部からそれぞれ屈折して縦方向に延びる起立部分３、４とからなり、中央部分２と起立部分３、４が連続して編成されていること形が基本型であり、図１に示した編み地１の下縁から編み立てられている。そして中央部分２と左右の起立部分３、４との接続境界線６Ａ、６Ｂにおいては、図８にＶ字形の仮想空間７として示しているように、中央部分２の左右の端部２Ａ、２Ｂと左右の起立部分３、４のそれぞれ内側端部３Ａ、４Ａにおいて中央部分２および左右の起立部分３、４が相互に順次目減らしながら編上げられ、目減らしによって生じた余剰の編糸はその接続境界線６Ａ、６Ｂの両側において二重に編み込まれて中央部分２の両側に中央部分２と同じ幅に左右の起立部分３、４が連続編成される。したがつて編み上がりの自由状態においては、図１に示しているように、この起立部分３、４は中央部分２の両端部からそれぞれ屈折して縦方向に延びた形態となっている。図８における８は編み立てのコースラインそして９はウェールラインを示している。
【００１８】
次に上記した本発明の編み地１の編成方法、即ち中央部分２と左右の起立部分３、４との接続境界線６Ａ、６Ｂにおける目減らし方法の一例を図１０〜図２６に基づいて詳細に説明すると、本発明の編み地１は図９に示しているように、前上針ＦＵと後上針ＢＵが対向配置され、それぞれの下方に前下針ＦＤと後下針ＢＤが配置された目移し自在な横編機によって編成することができる。
【００１９】
まず編み始め１コースを二重ゴム編でもって編成する、その後、一旦、後天竺編と前天竺編の編成状態とする（図１０イ、ロ参照）。
【００２０】
次いで前記した中央部分２と左右の起立部分３、４との接続境界線６Ａ、６Ｂのそれぞれ左側に位置している後下針ＢＤ側の境界編み糸を後下針ＢＤから前上針ＦＵに移したのち、左に１回振って前上針ＦＵから後下針ＢＤに移し、さらに接続境界線６Ａ、６Ｂのそれぞれ左側に位置している前下針ＦＤ側の編み糸を前下針ＦＤから後上針ＢＵに移したのち、左に１回振って後上針ＢＵから前下針ＦＤに移す（図１１イ、ロ、ハ、ニ参照）。
【００２１】
続いて前天竺編の接続境界線６Ａ、６Ｂのそれぞれ右側に位置している前下針ＦＤ側の編み糸を前下針ＦＤから後上針ＢＵに移したのち、右に１回振って後上針ＢＵから前下針ＦＤに移し、さらに接続境界線６Ａ、６Ｂのそれぞれ右側に位置している後下針ＢＤ側の境界編み糸を後下針ＢＤから前上針ＦＵに移したのち、右に１回振って前上針ＦＵから後下針ＢＤに移す（図１２イ、ロ、ハ、ニ参照）。
【００２２】
しかるのち中央部分２と左右の起立部分３、４の全長に亘ってり二重ゴム編を行えば、接続境界線６Ａ、６Ｂの両側においてはループが重なり、接続境界線６Ａ、６Ｂの部分において中央部分２と左右の起立部分３、４が相互に１目だけ目減らしされた状態となる（図１３参照）。
【００２３】
しかしこの状態においては、中央部分２と左右の起立部３、４との接続境界線６Ａ、６Ｂの両側においてそれぞれ空の１針が生じているため、その補正を行ったのち、上記の二重ゴム編組織を図１０イ、ロと同様の後天竺編と前天竺編の編成状態ととなす。即ち、まず左側の起立部分３と中央部分２接続境界位置の後下針ＢＤ側の編み糸を後下針ＢＤから前上針ＦＵに移し、左の１回振って前上針ＦＵから後下針ＢＤに移したのち、さらに左側の起立部分３と中央部分２接続境界位置の前下針ＦＤ側の編み糸を前下針ＦＤから後上針ＢＵに移し、１回左に振って後上針ＢＵから前下針ＦＤに移す（図１４イ、ロ、ハ、ニ、参照）。
【００２４】
続いて、右側の起立部分４と中央部分２接続境界位置の前下針ＦＤ側の編み糸を前下針ＦＤから後上針ＢＵに移し、１回右に振って後上針ＢＵから前下針ＦＤに移し、さらに右側の起立部分４と中央部分２接続境界位置の後下針ＢＤ側の編み糸を後下針ＢＤから前上針ＦＵに移し、１回右に振って前上針ＦＵから後下針ＢＤに移す（図１５イ、ロ、ハ、ニ、参照）。
【００２５】
しかるのち左側の起立部分３の後下針ＢＤ側の編み糸を前上針ＦＵに移し、１回左に振って前上針ＦＵから後下針ＢＤに移し、左側の起立部分３の前下針ＦＤ側の編み糸を後上針ＢＵに移し、１回左に振って後上針ＢＵから前下針ＦＤに移す（図１６イ、ロ、ハ、ニ参照）。そして同様にして右側の起立部分４の前下針ＦＤ側の編み糸を後上針ＢＵに移し、１回右に振って後上針ＢＵから前下針ＦＤに移し、右側の起立部分４の後下針ＢＤ側の編み糸を前上針ＦＵに移し、１回右に振って前上針ＦＵから後下針ＢＤに移す（図１７イ、ロ、ハ、ニ参照）。
【００２６】
かくして１コースの中央部分２と左右の起立部３、４との接続境界線６Ａ、６Ｂの両側における目減らしが完了し、左右の起立部分３、４は１針ずつ中央部分２側に寄せられるとともに中央部分２と左右の起立部３、４との接続境界線６Ａ、６Ｂ部分の前記空針が解消され、図１０イ、ロと同様の後天竺編と前天竺編の編成状態となる（図１８イ、ロ参照）。
【００２７】
続いて次のコースにおいて上記と同様な編成を行う。図１９イ、ロ、ハ、ニ以降図２５イ、ロ、ハ、ニはその編成要領を示しているものであり、上記の目減らしにより両端部の編み糸の位置が１針分内側にずれた状態でもって編成されることをを示している。このようにして予め設定した編み地の幅Ｗに相当するコース数に亘り上記編成手順を繰り返して行うことによって図１に示したような本発明の編み地１を得ることができる。
【００２８】
上記のように中央部分２と左右の起立部分３、４がその境界部分６Ａ、６Ｂにおいて相互に順次目減らしながら編上げられ、中央部分２と左右の前立部３、４は上記Ｖ字形の仮想空間７の部分において接続されていることから、編成中は図２７に示しているようにその境界部分に襞１０が生じている状態であるが、編機から取り外すと、編み地１は図１に示したように、横方向に延びる中央部分２に対し左右の起立部分３、４は中央部分２の両端部からそれぞれ上方に屈折し起立している形態となっている。
【００２９】
図２８は本発明の編み地１、即ち、横方向に延びる中央部分２と、この中央部分２の両端部からそれぞれ屈折して縦方向に延びる起立部分３、４とからなる編み地１の中央部分２の下方に上衿部となる裾部分５が連続して編成され、この裾部分５をポロシャツの上衿部に、中央部分２を台衿部に、そして左右の起立部分３、４をそれぞれ左右の前立部に利用できる衿用の編み地の実施例を示したものでる。即ちこの編み地１は、上衿部となる裾部分５、台衿部となる中央部分２および左右の前立部となる起立部分３、４を備えてなり、裾部分５から編み始められている。本実施例においては、上衿部となる裾部分５は横長の長方形状をなしていて、裾部分５の編み終わり位置から連続して台衿部と左右の前立部の合計長さに相当する横幅でもって中央部分２と左右の起立部分３、４が編み立てられている。そして台衿部となる中央部分２と左右の前立部となる起立部分３、４との接続境界線６Ａ、６Ｂにおいては、上記実施例同様に台衿部となる中央部分２および左右の前立部となる起立部分３、４が相互に順次目減らしながら編上げられている。図２９は上記編み地１でもって形成されるポロシャツ用の衿部を示している。
【００３０】
この衿用の編み地１は、上記実施例の編成方法でも編成することができるが、次に述べる方法でも編成することができる。
【００３１】
まず上衿部となる裾部分５を表裏共に予め設定した大きさの天竺編に編み上げる。そしてこの裾部分５の編成終了位置からゴム編に変更し、連続して図１に示しているような形状の編み地、即ち、台衿部に相当する中央部分２と左右の前立部に相当する左右の起立部分３、４の合計長さに相当するコース幅でもって編み立てを開始する（図３０イ、ロ、ハ、参照）。
【００３２】
まず台衿部に相当する中央部分２と左右の前立部に相当する左右の起立部分３、４の合計長さに相当するコース幅でもって１〜数コース二重ゴム編を編成した後、左起立部分３から中央部分２の右起立部分４との右側接続境界線６Ｂ（図８および図２８参照）までの後下針ＢＤの編み糸を前上針ＦＵに移して左に１回振って前上針ＦＵから後下針ＢＤに移し、さらに左起立部分３から中央部分２の右起立部分との右側接続境界線６Ｂまの前下針ＦＤの編み糸を後上針ＢＵに移して左に１回振り、後上針ＢＵから前下針ＦＤに移す。これにより右側接続境界線６Ｂにおける右起立部分４が目減らしされる（図３１イ、ロ、ハ、ニ参照）。
【００３３】
続いて右起立部分４から中央部分２の左起立部分３との左側接続境界線６Ａ（図８および図２８参照）までの前下針ＦＤの編み糸を後上針ＢＵに移し右に１回振って後上針ＢＵから前下針ＦＤに移し、右起立部分４から中央部分２の左起立部分３との左側接続境界線６Ａまでの後上針ＢＵの編み糸を前上針ＦＵに移して右に１回振り、前上針ＦＵから後下針ＢＤに移す。これにより左側接続境界線６Ａにおける左起立部分３が目減らしされる（図３２イ、ロ、ハ、ニ参照）。
【００３４】
次いで上記の図３１および図３２の操作によって目減らしれた左起立部分３の中央部分２との左側接続境界線６Ａとの間の後下針ＢＤの編み糸を前上針ＦＵに移して左に１回振って前上針ＦＵから後下針ＢＤに移し、左起立部分３の中央部分２との左側接続境界線６Ａとの間の前下針ＦＤの編み糸を後上針ＢＵに移して左に１回振り、後上針ＢＵら前下針ＦＤに移す（図３３イ、ロ、ハ、ニ参照）。
【００３５】
続いて右起立部分４の中央部分２との右側接続境界線６Ｂとの間の編み糸について上記と同様の操作を行う。即ち、右起立部分４の中央部分２との右側接続境界線６Ｂとの間の前下針ＦＤの編み糸を後上針ＢＵに移して右に１回振って後上針ＢＵから前下針ＦＤに移し、さらに右起立部分４の中央部分２との右側接続境界線６Ｂとの間の後下針ＢＤの編み糸を前上針ＦＵに移して右に１回振り、前上針ＦＵら後下針ＢＤに移す（図３４イ、ロ、ハ、ニ参照）。
【００３６】
ここでひとまず図３０イ、ロの操作に戻り、後天竺編、前天竺編、ゴム編を組織する。このとき、目減らしのよって生じた余剰の編み糸を中央部分２と左右の起立部分３、４との接続境界線分６Ａ、６Ｂに編み込みなから前、後ともに天竺編みを編組したのち、図３０ハのゴム編みとする−３５イ、ロ、ハ、参照）。
【００３７】
上記図３１〜図３４の操作の結果、左右の起立部分３、４の目数が中央部分２との接続部において一つ減少しているため、続いてまず右起立部分４の目数の補正を行う。即ち、左起立部分３から中央部分２右起立部分４との右側接続境界線６Ｂまでの後下針ＢＤの編み糸を前上針ＦＵに移して左に１回振り、次いで前上針ＦＵから後下針ＢＤに移し、左起立部分３から中央部分２の右起立部分４との左側接続境界線６Ａまでの前下針ＦＤの編み糸を後上針ＢＵに移して左に１回振り、後上針ＢＵから前下針ＦＤに移す（図３６イ、ロ、ハ、ニ参照）。
【００３８】
次いで左起立部分３の目数の補正を行う。即ち、右起立部分４から中央部分２の左起立部分３との左側接続境界線６Ａまでの前下針ＦＤの編み糸を後上針ＢＵに移し右に１回振り、次いで後上針ＢＵから前下針ＦＤに移し、右起立部分４から中央部分２の左起立部分３との左側接続境界線６Ａまでの後下針ＢＤの編み糸を前上針ＦＵに移して右に１回振り、前上針ＦＵから後下針ＢＤに移す（図３７イ、ロ、ハ、ニ参照）。
【００３９】
さらに左起立部分３から中央部分２の左起立部分３との左側接続境界線６Ａまでの後下針ＢＤの編み糸を前上針ＦＵに移して左に１回振り、前上針ＦＵから後下針ＢＤに移す。続いて左起立部分３の中央部分３との左側接続境界線６Ａとの間の前下針ＦＤの編み糸を後上針ＢＵに移して左に１回振り、後上針ＢＵら前下針ＦＤに移す（図３８イ、ロ、ハ、ニ参照）。
【００４０】
しかるのち右起立部分４から中央部分２の右起立部分４との右側境界部分６Ｂまでの前下針ＦＤの編み糸を後上針ＢＵに移して右に１回振り、後上針ＢＵから前下針ＦＤに移し、さらに後下針ＢＤから前上針ＦＵに移して右に１回振り、前上針ＦＵら後下針ＢＤに移す（図３９イ、ロ、ハ、ニ参照）。
【００４１】
図４０イ、ロ、ハは目減らし終了後の接続部分の組織、即ち後天竺編、前天竺編、ゴム編を示している。以降は図４０ニ、ホ、即ち図３０イ、ロから図４０の編成を中央部分２と左右の起立部分３、４の幅寸法に亘り繰り返して行うことによって図２８に示しているような衿用の本発明の編み地１を得ることができ、この編み地１は図２９に示しているように、裾部分５は上衿部に、中央部分２は台衿部に、そして左右の起立部分３、４は前立部として利用することができる。図２８中の１１は編み終わりの捨糸部分であり、編成中は図４１にに示しているように中央部分２と左右の起立部分３、４との境界部分には襞１０が現れた形態となっている。
【００４２】
なお上記の衿用の本発明の編み地１の実施例においては、上衿部となる裾部分は横長の矩形をなしているが、裾部分の両側において目減らしを行えば図４２のように台形となすこともできる。またこの衿用の編み地１の周囲の部分１２を別の組織、例えば鎧編となすことも好ましい実施の形態である。
【００４３】
また上記二つの編成方法においては、中央部分２と起立部分３、４との境界部分においてそれぞれ１目ずつ目減らしを行い、それによって中央部分２に対して起立部分３、４を屈折させているが、２目ずつ目減らしを行えばその屈折角度をさらに大きくすることもでき、中央部分２に対して起立部分３、４をほぼ９０度に屈折させた編み地１は、例えば図４３に示しているような直線状のスリットを備えたスカートやドレスの裾およびスリット部分の縁取り用として好適となる。
【００４４】
【発明の効果】
このように本発明の編み地１は、横方向に延びる中央部分２と、この中央部分２の両端部からそれぞれ屈折して縦方向に延びる起立部分３、４とからなり、中央部分２と起立部分３、４が連続して編成されてなるものであり、殊に左右の起立部分３、４は中央部分２に対して屈折して縦方向に延びているから、各種の衣服の一部に都合よく適用することができる。
【００４５】
例えば中央部分２と起立部分３、４を共に幅Ｗが１０〜１５ｍｍ程度の所定の長さのテープ状に編成された編み地１は、前記しているように袖口や裾にスリットやベンツが形成されたシャツ、パンツ、スカート等の衣服における縁取りテープとして好適となり、幅Ｗが２〜３ｃｍ程度に編成された編み地１は、図５に示しているようにＶ地型に開襟した丸首シャツの衿用として適用することができる。
【００４６】
さらに図６に示しているように、中央部分２の編み始め側に、衣服の一部に適用可能な裾部分が編成されなる本発明の編み地においては、この裾部分５は長袖シャツの袖口として利用することができ、袖口や縁取りテープをそれぞれ別個に準備する必要がなくなり、シャツの縫製コストを低減することができる。
【００４７】
さらにまた図２８に示しているように、中央部分２を首筋と対接する台衿部用に、起立部分３、４を台衿部の両端部に位置する前立部用に、そして裾部分５を上衿部用として編成された編み地１は、ポロシャツの衿用として都合よく利用することができ、ポロシャツの縫製に際しては、少なくとも左右の前立部３、４の別個編成の工程および台衿部２と左右の前立部４、５とのリンキング工程が不要となり、ポロシャツ縫製コストの低減に役立ち、すっきりした襟元となる。
【図面の簡単な説明】
【図１】本発明の編み地の実施例を示した平面図である。
【図２】図１の編み地をシャツの袖口の縁取りに使用した態様を示した斜視図である。
【図３】図１の編み地をパンツの裾口の縁取りに使用した態様を示した斜視図である。
【図４】図１の編み地をスカートの裾の縁取りに使用した態様を示した斜視図である。
【図５】図１の編み地をシャツの襟首に使用した態様を示した斜視図である。
【図６】本発明編み地の他の実施例を示した平面図である。
【図７】図６の編み地をシャツの袖口に使用した態様を示した斜視図である。
【図８】本発明の編み地の編成方法の説明図である。
【図９】本発明の編み地の編成に用いた編み機の編成針を示した説明図である。
【図１０】本発明編み地の編成方法における編み出し段階を示した説明図である。
【図１１】中央部分と起立部分との境界部分の目減らし手順を示した説明図である。
【図１２】中央部分と左右の起立部分の境界部分に目減らし手順を示した説明図である。
【図１３】目減らし後の境界部分の組織を示した説明図である。
【図１４】図１３の組織の左側境界部分の補正手順を示した説明図である。
【図１５】図１３の組織の右側境界部分の補正手順を示した説明図である。
【図１６】図１３の組織の左側境界部分の補正手順を示した説明図である。
【図１７】図１３の組織の右側境界部分の補正手順を示した説明図である。
【図１８】次のコースの編成開始状態の組織を示した説明図である。
【図１９】次のコースの境界部分の目減らし手順を示した説明図である。
【図２０】次のコースの境界部分の目減らし手順を示した説明図である。
【図２１】目減らし後の境界部分の組織を示した説明図である。
【図２２】図２１の組織の左側境界部分の補正手順を示した説明図である。
【図２３】図２１の組織の右側境界部分の補正手順を示した説明図である。
【図２４】図２１の組織の左側境界部分の補正手順を示した説明図である。
【図２５】図２１の組織の右側境界部分の補正手順を示した説明図である。
【図２６】編成終わりの組織を示した説明図である。
【図２７】編み立てられた編み地の編機上での形態を示した正面図である。
【図２８】本発明編み地の他の実施例を示した展開図である。
【図２９】図２８の編み地でもってポロシャツの衿地となした正面図である。
【図３０】本発明による衿用編み地の他の編成方法を示した説明図である。
【図３１】右側境界部分の補正手順を示した説明図である。
【図３２】左側境界部分の補正手順を示した説明図である。
【図３３】左側境界部分の補正手順を示した説明図である。
【図３４】右側境界部分の補正手順を示した説明図である。
【図３５】目減らし後の組織の説明図である。
【図３６】右側境界部分の目減らし後の目数の補正手順を示した説明図である。
【図３７】左側境界部分の目減らし後の目数の補正手順を示した説明図である。
【図３８】左側境界部分の目減らし後の目数の補正手順を示した説明図である。
【図３９】右側境界部分の目減らし後の目数の補正手順を示した説明図である。
【図４０】目数補正過程が終了した後の組織の説明図である。
【図４１】編み立てられた衿用編み地の編機上での形態を示した正面図である。
【図４２】衿用編み地の他の実施例を示した正面図である。
【図４３】本発明編み地の他の実施例を示した正面図である。
【符号の説明】
１．編み地
２．中央部分
３．左側の起立部分
４．右側の起立部分
５．裾部分
６Ａ．左側接続境界線
６Ｂ．左側接続境界線
７．Ｖ字状空間
ＦＵ．前上針
ＦＤ．前下針
ＢＵ．後上針
ＢＤ．後下針
【図１】
2004250851.tif 000003
【図２】
2004250851.tif 000004
【図３】
2004250851.tif 000005
【図４】
2004250851.tif 000006
【図５】
2004250851.tif 000007
【図６】
2004250851.tif 000008
【図７】
2004250851.tif 000009
【図８】
2004250851.tif 000010
【図９】
2004250851.tif 000011
【図１０】
2004250851.tif 000012
【図１１】
2004250851.tif 000013
【図１２】
2004250851.tif 000014
【図１３】
2004250851.tif 000015
【図１４】
2004250851.tif 000016
【図１５】
2004250851.tif 000017
【図１６】
2004250851.tif 000018
【図１７】
2004250851.tif 000019
【図１８】
2004250851.tif 000020
【図１９】
2004250851.tif 000021
【図２０】
2004250851.tif 000022
【図２１】
2004250851.tif 000023
【図２２】
2004250851.tif 000024
【図２３】
2004250851.tif 000025
【図２４】
2004250851.tif 000026
【図２５】
2004250851.tif 000027
【図２６】
2004250851.tif 000028
【図２７】
2004250851.tif 000029
【図２８】
2004250851.tif 000030
【図２９】
2004250851.tif 000031
【図３０】
2004250851.tif 000032
【図３１】
2004250851.tif 000033
【図３２】
2004250851.tif 000034
【図３３】
2004250851.tif 000035
【図３４】
2004250851.tif 000036
【図３５】
2004250851.tif 000037
【図３６】
2004250851.tif 000038
【図３７】
2004250851.tif 000039
【図３８】
2004250851.tif 000040
【図３９】
2004250851.tif 000041
【図４０】
2004250851.tif 000042
【図４１】
2004250851.tif 000043
【図４２】
2004250851.tif 000044
【図４３】
2004250851.tif 000045